(57)【要約】本発明は、ヒカップモードを有するスイッチモード電源モジュールおよびこれらのモジュールにより電力供給される装置アイテムに関する。電源モジュール（１）は、モジュールの負荷電流が電流閾値未満である場合、いわゆるスイッチング動作中断フェーズの間、スイッチング動作を周期的に中断し、負荷電流が負荷電流閾値より大きい場合、いわゆるスイッチング動作フェーズの間、スイッチング動作を維持するための手段（１１、１２、１３、１４）、および装置アイテムの電源電圧が電圧閾値より大きい場合、スイッチング動作中断フェーズを終了するための手段（１５、１６）を備える。モジュールにより電力供給される装置アイテム（２）は、スイッチング動作フェーズの間に、モジュールからエネルギを格納することが可能な容量性素子（２１）、およびそれが起動信号（Ｃ１）を受け取ると電源モジュールの出力端子間に格納されたエネルギを放出するための手段を備える。
2016500509.tif 000002
【特許請求の範囲】
【請求項１】
２つの電源線路（２０ａ、２０ｂ）間で、装置アイテム（２）へ電力を供給することを目的とし、スイッチモード電源モジュール（１）と、起動回路（２２）と、前記２つの電源線路（２０ａ、２０ｂ）間に接続される容量性素子（２１）と、を備える、電源デバイスであって、
前記容量性素子（２１）は、前記スイッチモード電源モジュールのスイッチング動作フェーズの間に、前記スイッチモード電源モジュールからのエネルギを格納し、前記スイッチモード電源モジュールのスイッチング動作中断フェーズの間に前記装置アイテム（２）の前記起動回路（２２）に前記格納されたエネルギを供給するのに好適であり、
前記スイッチモード電源モジュール（１）は、スイッチング動作制御デバイスを含み、前記スイッチング動作制御デバイスは、
前記負荷電流が負荷電流閾値以下である場合、予め定められた継続時間の前記スイッチング動作中断フェーズの間、前記スイッチング動作を周期的に中断し、前記負荷電流が前記負荷電流閾値より大きい場合、予め定められた継続時間の前記スイッチング動作フェーズの間、前記スイッチング動作を維持する、スイッチング動作制御回路（１４）
を含み、前記電源デバイスは、
前記装置アイテム（２）が起動信号（Ｃ１）を受け取るとき、前記起動回路（２２）が、前記容量性素子（２１）の前記端子に存在する前記電圧を前記２つの電源線路（２０ａ、２０ｂ）間に印加するのに好適であり、
前記スイッチング動作制御デバイスは、
前記２つの電源線路間に存在する前記電源電圧を測定するための回路（１５）と、
前記測定された電源電圧を予め定義された電源電圧閾値と比較するための回路（１６）であって、前記測定された電源電圧が前記電源電圧閾値以上である場合、前記スイッチング動作制御回路が前記スイッチング動作中断フェーズを終了する、比較するための回路（１６）と、
をさらに含む、前記電源デバイス。
【請求項２】
スイッチモード電源モジュール内のスイッチング動作を制御する方法であって、前記スイッチモード電源モジュールは、２つの電源線路間の、装置アイテムに電力を供給することを目的とし、前記方法は、
前記測定された負荷電流が予め定義された負荷電流閾値以下である場合、前記負荷電流値が前記予め定義された負荷電流閾値よりも大きくなるまで前記スイッチング動作を周期的に中断するステップ（Ｅ１２）を含み、
前記方法は、
前記２つの電源線路間の前記電圧を測定するステップ（Ｅ１３）と、
前記測定された電圧を予め定義された電源電圧閾値と比較するステップ（Ｅ１４）と、
前記測定された電圧が前記電源電圧閾値以上である場合、前記スイッチング動作の中断を停止するステップ（Ｅ１５）と、
をさらに含む、前記方法。
【請求項３】
前記容量性素子（２１）の前記端子の前記電圧を、前記起動回路（２２）に電力を供給するより低い一定電圧に変換することが可能な、電圧変換器（２３）を備える、請求項１に記載の装置アイテム。
【請求項４】
請求項１に記載のスイッチモード電源モジュールにより電力供給されることが意図された装置アイテムを制御する方法であって、
前記スイッチモード電源モジュールの前記スイッチング動作フェーズの間に、前記スイッチモード電源モジュールからのエネルギを、前記２つの電源線路間に接続される容量性素子に格納するステップ（Ｅ２０）と、
前記装置アイテムが起動信号を受信するとき、前記容量性素子の前記端子に存在する前記電圧を前記２つの電源線路間に印加するステップ（Ｅ２１）と、
を含む、前記方法。
【発明の詳細な説明】
【技術分野】
【０００１】
本発明は、ヒカップモードに従って動作することが可能な、外部スイッチモード電源モジュールにより電力供給される装置アイテムの分野に関し、負荷がない場合に、電源モジュールのスイッチング動作は中断され、次いで装置アイテムの残留消費を制限するために周期的に再起動される。
【背景技術】
【０００２】
装置アイテムが外部電源モジュール（一般的に、ＤＣパックまたはＤＣ電力ブロックと呼ばれる）により電力供給されるとき、（電源モジュールの負荷を表す）装置アイテムとの接続が切断される（負荷が切り離される、またはスイッチが開位置になる）と、最小消費に対応する動作モードが実施される。しかし、この接続が切断される場合でさえ、それが幹線に接続されると、電源モジュールの残留消費（residual consumption）が依然として残る。
【０００３】
しかし、今日では、電子装置の商業化は、電力消費指令への準拠を要求する。特に欧州では、ＥＣ／２７８／２００９指令は、５１Ｗ未満の公称電力を送達する電源について、０．３Ｗ未満の電力消費のレベルを要求する。
【０００４】
理論的には、ＰＦＭ（パルス周波数変調）モードを使用する電源は、特定用途向け集積回路を使用することにより、１００ｍＷ未満の消費を達成することを可能としなければならない。しかし慣例的に、無負荷残留消費は、１５０ｍＷの程度である。
【０００５】
ＣＯＣ（行動規範（Code of Conduct））またはＥＵＰ（エネルギ使用製品（Energy Using Product））など、国際レベルでの指令のセットの制約を特に満足させるために、この平均残留消費をさらに減少させる必要がある。
【０００６】
これを念頭に置いて、仏国特許出願公開第１２  ５１２７４号明細書は、スイッチモード電源の場合に残留消費を減少させるために出願された。
【０００７】
この特許出願では、スイッチモード電源モジュール中のスイッチング動作を制御するためのデバイスが記載され、スイッチモード電源モジュールは、導体を介して装置アイテムに電力を供給することを目的とする。このデバイスは、例えば、典型的には電話電池充電器中の、装置アイテムの電池を充電することを目的としたスイッチモード電源デバイス内に集積化される。
【０００８】
このデバイスは、
−  上記装置アイテム中を流れる負荷電流を測定するための回路と、
−  上記測定された負荷電流を、予め定義された負荷電流閾値と比較するための回路と、
−  上記測定された負荷電流が上記予め定義された負荷電流閾値以下である場合、予め定められた継続時間の、いわゆるスイッチング動作中断フェーズの間、スイッチング動作を周期的に中断し、上記測定された負荷電流が上記閾値より大きい場合、予め定められた継続時間の、いわゆるスイッチング動作フェーズの間、スイッチング動作を維持する、スイッチング動作を制御するための回路と
を備える。
【０００９】
スイッチング動作を制御するためのこのデバイスは、装置アイテムへの接続の不存在を検出することにより、自律的に動作する。装置アイテムへの接続の不存在は、無負荷電流（または実質的なゼロ負荷電流）に反映される。電話電池充電器の場合、無負荷電流は、電話がもはや充電器に接続されていないとき、または電話電池が充電されるときに生じる。
【００１０】
この無負荷電流が検出されると、スイッチモード電源モジュールは、ヒカップ（hiccup）モードとして知られる動作モードに入り、ここで、電源のスイッチング動作が中断され、次いでスイッチモード電源の残留消費を制限するように、周期的に再起動される。
【００１１】
ヒカップモードの間、電源モジュールは、数十秒続く場合のある予め定められた期間の間、スイッチング動作を中止し、次いでそれが負荷電流の測定を再び実行することができる第２の期間の間再始動し、次いで、測定された負荷電流が予め定義された閾値より少ない場合、再びスイッチング動作を中止し、以下同様である。電源モジュールは、測定された負荷電流が再び予め定義された閾値を超えるまでヒカップモードにとどまる。
【００１２】
負荷電流の測定を有するこのヒカップ動作モードは、装置アイテムの電池を充電することを目的とするスイッチモード電源に、より具体的に好適である。
【００１３】
しかし、それは、例えば、デコーダ（セットトップボックス）のスイッチモード電源のための、装置アイテムに直接電力を供給するために使用されるスイッチモード電源には好適でない。実際のところ、この場合では、セットトップボックスがオフにされる、またはスタンバイモードに入ったとき、無負荷電流または低い値が生じる。例えば、装置アイテムがスタンバイモードに入ることに起因して、この装置アイテムのスイッチモード電源モジュールがヒカップモードに入る場合、装置アイテムは、通常動作を再開する（スタンバイモードから出る）のに十分な電流が供給されることが可能であるように、スイッチング動作中断フェーズの終了を待たなくてはならない。これは、例えば、装置アイテムのユーザが（例えば、リモートコントロール上のキーを押すことにより）装置アイテム上でアクションを開始する場合、装置アイテムは、ユーザにより要求されるアクションまたは動作を実行することが可能なように、スイッチング動作中断フェーズの終了を待たなくてはならないことを意味する。これは、装置アイテムが、後続するスイッチング動作フェーズの間にアクションを開始するために、操作者の要求を一時的に保存しなければならないことも意味する。したがって、装置アイテムの応答性は、かなり低減される。スイッチング動作中断フェーズがおよそ２０または３０秒続く場合、これは、装置アイテムの応答時間が、これらの値と同じくらい長い可能性があることを意味し、これは、許容できない。
【発明の概要】
【００１４】
本発明の一目的は、上に記載された不利益を克服し、短い応答時間を獲得し、一方で低い残留消費を保持することを可能にする、スイッチモード電源モジュールおよび関連する装置アイテムを提案することである。
【００１５】
本発明の対象は、２つの電源線路間で、装置アイテムに電力を供給することを目的とするスイッチモード電源モジュールであって、上記スイッチモード電源モジュールはスイッチング動作制御デバイスを備え、上記スイッチング動作制御デバイスは、
−  負荷電流を測定するための回路と、
−  上記測定された負荷電流を、予め定義された負荷電流閾値と比較するための回路と、
−  上記測定された負荷電流が上記負荷電流閾値以下である場合、予め定められた継続時間の、いわゆるスイッチング動作中断フェーズの間、上記スイッチング動作を周期的に中断し、上記測定された負荷電流が上記負荷電流閾値より大きい場合、予め定められた継続時間の、いわゆるスイッチング動作フェーズの間、上記スイッチング動作を維持する、スイッチング動作制御回路と、
−  上記２つの電源線路間に存在する上記電源電圧を測定するための回路と、
−  上記測定された電源電圧を予め定義された電源電圧閾値と比較するための回路であって、上記測定された電源電圧が上記電源電圧閾値以上である場合、上記スイッチング動作制御回路が上記スイッチング動作中断フェーズを終了する、比較するための回路と、
を含む。
【００１６】
したがって、本発明によると、負荷電流が負荷電流閾値以下であるとき、スイッチモード電源モジュールはヒカップモードに入り、このモジュールの出力における２つの電源線路間の電圧が電源電圧閾値より大きいとき、このヒカップモードは中断される。下に記載されるような装置アイテムが、電力が供給されることを必要とするとき、２つの電源線路間の電圧のこの増加は、装置アイテムによって引き起こされる。
【００１７】
本発明は、そのようなモジュールのスイッチング動作を制御するための方法にも関する。したがって、本発明は、スイッチモード電源モジュール制御方法に関し、上記スイッチモード電源モジュールは、２つの電源線路間の、装置アイテムに電力を供給することを目的とし、上記方法は、以下のステップ、すなわち
−  上記スイッチモード電源モジュール内で、負荷電流を測定するステップと、
−  上記測定された負荷電流を予め定義された負荷電流閾値と比較するステップと、
−  上記測定された負荷電流が上記予め定義された負荷電流閾値以下である場合、上記測定された負荷電流値が上記予め定義された負荷電流閾値よりも大きくなるまで上記スイッチング動作を周期的に中断するステップと、
−  上記２つの電源線路間の上記電圧を測定するステップと、
−  上記測定された電圧を予め定義された電源電圧閾値と比較するステップと、
−  上記測定された電圧が上記電源電圧閾値以上である場合、上記スイッチング動作中断を停止するステップと
を含む。
【００１８】
発明の対象は、このスイッチモード電源モジュールによって電力が供給される装置アイテムでもある。したがって、本発明は、前に記載されたようなスイッチモード電源モジュールによって電力が供給されることを目的とした装置アイテムであって、上記スイッチモード電源モジュールの上記スイッチング動作フェーズの間に、上記スイッチモード電源モジュールからのエネルギを格納し、上記スイッチモード電源モジュールの上記スイッチング動作中断フェーズの間に、上記装置アイテムを起動するための回路に、上記格納されたエネルギを供給することが可能な、上記２つの電源線路間に接続される容量性素子を備え、その結果、上記装置アイテムが起動信号を受け取るとき、上記起動回路が、上記容量性素子の端子に存在する電圧を上記２つの電源線路間に印加する、装置アイテムにも関する。
【００１９】
ある実施形態によると、装置アイテムは、容量性素子の端子の電圧を、起動回路に電力を供給する、より低い一定電圧に変換することが可能な電圧変換器を備える。
【００２０】
本発明は、そのような装置アイテムを制御するための方法にも関する。この方法は、以下のステップ、すなわち、
−  スイッチモード電源モジュールのスイッチング動作フェーズの間に、スイッチモード電源モジュールからのエネルギを、２つの電源線路間に接続される容量性素子に格納するステップと、
−  装置アイテムが起動信号を受け取るとき、上記容量性素子の端子に存在する電圧を上記２つの電源線路間に印加するステップと、
を含む。
【図面の簡単な説明】
【００２１】
説明のために提供される添付図面により説明される以下の例を読めば、当業者にとって他の利点があるであろう。
【図１】本発明に係るスイッチモード電源モジュールおよび装置アイテムを示す図である。
【図２】図１のスイッチモード電源モジュールを制御するための方法のステップを示す図である。
【図３】図１の装置アイテムを制御するための方法のステップを示す図である。
【発明を実施するための形態】
【００２２】
図１は、スイッチモード電源モジュール１により電力供給される、電気または電子装置アイテム２を示しており、２つのデバイスは、本発明に係るものである。
【００２３】
スイッチモード電源モジュール１は、一方で、「幹線」とも呼ばれる電気回路に、他方で、電力コード３を介して２本の導電ワイヤで、装置アイテム２に接続される。スイッチモード電源モジュールは、幹線により供給されるＡＣ電圧を、装置アイテムの適切な動作に有用な電圧に変換する。
【００２４】
本発明によれば、スイッチモード電源モジュール１は、標準的なスイッチング動作手段１０に加えて、ヒカップモードを実施し管理するための追加のスイッチング動作制御手段を備える。このヒカップモード間に、電源モジュールは、無負荷を検出し、電源のスイッチング動作を周期的に中断し、次いで再起動して、モジュールの残留消費を制限する。このヒカップモードは、装置アイテムが電圧を要求すると中断される。
【００２５】
本発明によれば、スイッチング動作制御手段は、負荷電流測定回路１１、測定された負荷電流を、電流基準回路１３により供給される予め定義された負荷電流閾値Ｉｒｅｆと比較するための回路１２、および、測定された負荷電流がＩｒｅｆ以下である場合、予め定められた継続時間の、いわゆるスイッチング動作中断フェーズの間、スイッチング動作を周期的に中断し、測定された負荷電流がＩｒｅｆより大きい場合、予め定められた継続時間の、いわゆるスイッチング動作フェーズの間、スイッチング動作を維持するスイッチング動作制御回路１４とを備える。
【００２６】
負荷電流測定は、モジュールのスイッチング動作フェーズの間に実行される。３０秒の継続時間を有するサイクルの場合、スイッチング動作フェーズの継続時間は例えば０．５秒であり、スイッチング動作中断フェーズのそれは２９．５秒である。負荷電流測定がスイッチモード電源モジュールにより実行され、このスイッチモード電源モジュールは、自律的に動作する。装置アイテムは、スイッチング動作が中断されない、いわゆる通常動作モードからヒカップモードに、またはその逆に移行するために、装置アイテムに制御メッセージまたは信号を送信する必要がない。
【００２７】
電源モジュールは、電源ケーブル３の２つの導体間に存在する電源電圧を測定するための電圧測定回路１５も備える。これらの２つの導体は、装置アイテム２の２つの電源線路２０ａおよび２０ｂに接続される。電源モジュールは、測定された電源電圧を、電圧基準回路１７により供給される予め定義された電源電圧閾値Ｕｒｅｆと比較するための回路１６も備える。測定された電源電圧がＵｒｅｆ以上であることをスイッチング動作制御回路１４が検出すると、スイッチング動作制御回路１４はスイッチング動作中断フェーズを停止する。
【００２８】
提案される実施形態では、電流比較器１２の出力および電圧比較器１６の出力は、ＲＳフリップフロップ１８を介して、スイッチング動作制御回路１４に接続される。電流比較器１２の出力は、フリップフロップの入力Ｓ（Ｓｅｔ）に接続され、電圧比較器１６の出力は、フリップフロップの入力Ｒ（Ｒｅｓｅｔ）に接続され、フリップフロップの出力Ｑは、スイッチング動作制御回路１４の入力に接続される。したがって、測定された負荷電流がＩｒｅｆを超える場合、フリップフロップは、ヒカップモードを実施するために、制御回路１４を起動させ、測定された電圧がＵｒｅｆを超える場合、フリップフロップは、ヒカップモードを終了させるために制御回路１４を停止状態にする。
【００２９】
上に示されたように、装置アイテムの電源線路２０ａと２０ｂとの間の電圧が電源電圧閾値を超えると、ヒカップモードが中断される。したがって、スイッチモード電源モジュールがヒカップモードを脱することを要求するときに、２つの電源線路間の電圧を増加させるために、装置アイテム２は変更される。
【００３０】
このため、装置アイテム２は、スイッチモード電源モジュールのスイッチング動作フェーズの間に、スイッチモード電源モジュールからのエネルギを格納するために、２つの電源線路間に接続される容量性素子２１を備え、スイッチモード電源モジュールのスイッチング動作中断フェーズの間に起動回路２２に格納されたエネルギを供給する。起動回路２２は、ＤＣ変換器２３を介して容量性素子２１によって電力が供給される。この電圧変換器は、容量性素子の端子の電圧、例えば１２ボルトの程度を、より低い一定電圧、例えば３．３ボルトの程度に変換することを目的とする。起動回路２２は、低消費マイクロコントローラ、例えば、１８マイクロアンペアしか消費しないＮＥＣ社製造のマイクロコントローラμＰＤ７８９８８１である。起動回路２２は、変換器２３により送達される電圧によって、その２つの端子ＶＤＤとＶＳＳの間に電力が供給される。電圧変換器は、最小低負荷損失を確実にするためＰＦＭモード（パルス周波数モード）を有し、テキサスインスツルメンツ社製造ＴＰＳ５４ｘ２６／２７シリーズからの「バック」または「ステップダウン」タイプのＤＣ／ＤＣ変換器、または例えばＳＴマイクロエレクトロニクス社製造のＬＫ１１２ｘｘシリーズからの線形レギュレータ、またはスタンバイモードおよび通常モードの両方で性能を最適化するために２つのタイプの組合せであってよい。
【００３１】
最後に、容量性素子２１は、例えば、電源線路間に直接的に実装されるコンデンサの値の２倍といった、大きい値を有するリザーバコンデンサ（reservoir capacitor）であり、スイッチモード電源が２０００μＦを有する場合、含まれるスイッチモード電源のコンデンサ、すなわち、例えば４７００μＦである。容量性素子２１は、逆流防止ダイオード２４を介して電源線路２０ａに接続される。
【００３２】
起動回路２２は、それが起動信号Ｃ１を受け取る起動入力ｉｎ１、ならびにそれが２つの制御信号、それぞれＣ２およびＣ３を送達する２つの出力ｏｕｔ１およびｏｕｔ２を備える。
【００３３】
起動信号Ｃ１は、装置アイテムが開始または起動されなければならないとき、オン状態にある。この信号は、リモートコントロール、タイマなどから送信される可能性がある。
【００３４】
起動回路２２がオン状態起動信号を受け取るとすぐに、それは、電源線路２０ａおよび２０ｂ中への容量性素子２１の急速放電を制御するオン状態制御信号Ｃ２を送達する。この放電は、電源線路間の電圧を増加させ、ヒカップモードの中止を開始する。
【００３５】
図１の例では、容量性素子２１の放電は、それ自体が制御信号Ｃ２により制御されるトランジスタベースのスイッチの仲介を介して、制御される。図１において、スイッチは、２つのトランジスタＴ２５、Ｔ２６および２つの抵抗器Ｒ２５、Ｒ２６から形成される。トランジスタＴ２５はバイポーラトランジスタであり、トランジスタＴ２６はＭＯＳの電界効果型トランジスタ（またはＭＯＳＦＥＴ）タイプである。トランジスタＴ２５のベースは、電流制限抵抗器Ｒ２５を介して出力ｏｕｔ１に接続され、そのエミッタは、電源線路２０ｂに接続され、そのコレクタは、トランジスタＴ２６のゲートに接続される。トランジスタＴ２６のゲートとソースは、抵抗器Ｒ２６により、互いに接続される。最後に、トランジスタＴ２６のドレインは、電源線路２０ａに接続され、そのソースは、コンデンサ２１のカソードに接続される。
【００３６】
したがって、装置アイテムがオン状態起動信号Ｃ１を受け取ると、起動回路２２が、線路２０ａと２０ｂの間の容量性素子２１の接続を制御する。次いで、２つの線路間の電圧は、急激に増加する。電圧のこの増加は、電圧比較器１６により検出され、これがヒカップモードを終了させる。
【００３７】
容量性素子２１により格納されるエネルギが、容量性素子の急激な放電期間に、装置アイテムの負荷により吸収されることを回避するために、装置アイテムは、第２のスイッチにより有利に補完される。図１において、この第２のスイッチは、２つのトランジスタＴ２７、Ｔ２８および２つの抵抗器Ｒ２７、Ｒ２８から形成される。トランジスタＴ２７はバイポーラトランジスタであり、トランジスタＴ２８はＭＯＳの電界効果型トランジスタ（またはＭＯＳＦＥＴ）タイプである。トランジスタＴ２７のベースは、電流制限抵抗器Ｒ２７を介して出力ｏｕｔ２に接続され、そのエミッタは、電源線路２０ｂに接続され、そのコレクタは、トランジスタＴ２８のゲートに接続される。トランジスタＴ２８は、電源線路２０ａ上に配置され、トランジスタＴ２８のソースは、線路２０ａの上流部分に接続され、トランジスタＴ２８のドレインは、線路２０ａの下流部分に接続される。線路２０ａの上流部分は、容量性素子２１および変換器２３に電力を供給する。線路２０ａの下流部分は、装置アイテムの残りの部分に電力を供給する。トランジスタＴ２８のゲートとソースは、さらに抵抗器Ｒ２８により、互いに接続される。
【００３８】
本発明によれば、起動回路２２は、オン状態制御信号Ｃ２を送達したあとに、オン状態制御信号Ｃ３を送達する。したがって、制御信号Ｃ２がオン状態であると、容量性素子は、装置アイテムの上流部分に放電しない。
【００３９】
スイッチモード電源モジュール１および装置アイテム２の動作が、それぞれ図２および図３により示される。
【００４０】
図２を参照すると、スイッチモード電源モジュール１を制御する方法は、以下のステップ、すなわち
−  Ｅ１０：測定回路１１が負荷電流を測定するステップと、
−  Ｅ１１：測定された負荷電流を、予め定義された負荷電流閾値Ｉｒｅｆと比較するステップと、
−  Ｅ１２：測定された負荷電流がＩｒｅｆ以下である場合、測定された負荷電流の値がＩｒｅｆより大きくなるまで、スイッチング動作を周期的に中断するステップと、
−  Ｅ１３：２つの電源線路間の電圧を測定するステップと、
−  Ｅ１４：測定された電圧を予め定義された電源電圧閾値Ｕｒｅｆと比較するステップと、
−  Ｅ１５：測定された電圧がＵｒｅｆ以上である場合、スイッチング動作中断を中止するステップと、
を含む。
【００４１】
図３を参照すると、装置アイテム２を制御する方法は、以下のステップ、すなわち
−  Ｅ２０：スイッチモード電源モジュールのスイッチング動作フェーズの間に、スイッチモード電源モジュールから２つの電源線路間に接続される容量性素子にエネルギを格納するステップと、
−  Ｅ２１：起動信号Ｃ１がオン状態であるとき、容量性素子の端子に存在する電圧を２つの電源線路間に印加するステップと、
を含む。
【００４２】
電源モジュールおよび装置アイテムのこれらの変更形態は、ヒカップモードに起因する非常に低い残留消費を有する一方で、装置アイテムのコマンドに対し良好な応答性を保持する、電源モジュールおよび装置アイテムから形成されるデバイスを獲得することを可能にする。
【００４３】
本発明は、特定の実施形態に関連して記載されてきたが、これは決して限定的ではなく、これらが本発明の範囲に入る場合、記載された手段の全ての技術的な等価物ならびにそれらの組合せをそれが含むことは明らかである。
【図１】
2016500509.tif 000003
【図２】
2016500509.tif 000004
【図３】
2016500509.tif 000005
【国際調査報告】
2016500509.tif 000006
2016500509.tif 000007